(57)【要約】【課題】端子へ導電線を固定させる力を増大させ、且つ取り扱い性を向上させた端子構造を提供することにある。【解決手段】電気機器本体であるオルタネータ本体１１から導出される端子１４がナット１３により絶縁体１２を介して固定される端子構造１０であって、端子１４に形成されたネジ穴１４ａにボルト１５を螺合させることで、端子１４に導電線１６を接続するようにしたことにより、ボルト１５の軸部１５ａに形成されたネジ山が塑性変形するまで、ボルト１５を締め付けることができるようにした。【選択図】図１
2007128801.tif 000002
【特許請求の範囲】
【請求項１】
電気機器本体から導出される端子に貫通して配置される絶縁体をナットにより固定させる端子構造であって、
前記端子に形成されたネジ穴にボルトを螺合させることで、該端子に導電線を接続するようにした
ことを特徴とする端子構造。
【請求項２】
請求項１に記載された端子構造であって、
前記端子の上部を前記ナットの上部より高くする
ことを特徴とする端子構造。
【発明の詳細な説明】
【技術分野】
【０００１】
本発明は、端子構造に関し、特に、大電流が流れる、オルタネータ、スタータ、バッテリ、リレー、リターダおよびキャパシタに用いて好適な端子構造に関する。
【背景技術】
【０００２】
従来、大電流が流れる、オルタネータ、スタータ、バッテリ、リレー、リターダ、およびキャパシタ等では、この電流を取り易くするため、端子構造が用いられている。例えば、オルタネータでは、図２に示すような端子構造が用いられている。この図に示すように、端子構造２０では、オルタネータ本体２１から導出される端子２４に貫通して配置される絶縁体２２がナット２３により固定されている。バッテリケーブル２６のターミナルエンド２６ａが端子２４に貫通して配置され、固定用ナット２５によりバッテリケーブル２６が該端子２４に固定されている。端子２４の下端は、導電部材２７に接続されている。
【０００３】
この端子構造２０では、導電部材２７より端子２４および固定用ナット２５を伝わって、バッテリケーブル２６から電流が取り出されている。なお、端子構造２０では、絶縁体２２により、オルタネータ本体２１と端子２４との接触が防止されている。
【０００４】
他の端子構造として、特許文献１に記載される電池が知られている。この電池では、端子の雄ネジ部における気密用締付具の雌ネジ部が螺着する第１ネジ部より先端側に、この第１ネジ部よりもネジ径が小さく逆ネジとなる第２ネジ部が形成されており、気密用ナットが弛み電解液が漏れて電池内部の気密性が損なわれるのを防止している。
【０００５】
【特許文献１】特開２０００−２１５８８０号公報
【発明の開示】
【発明が解決しようとする課題】
【０００６】
しかしながら、上述した端子構造２０では、バッテリケーブル２６の端子２４への固定をより強固にしようとして固定用ナット２５をさらに締め付けていくと、ナット２３に対して下方に押付ける力が作用する一方、端子２４に対して上方に引き上げる力が作用する。そのため、この締付トルクを大きくしていくと、端子２４のネジ山２４ａにて塑性変形が起こり、前記締付トルクをさらに大きくしていくと、端子２４自体が破壊されてしまい、この破壊された端子を交換するときには、端子構造２０自体を分解しなければならず、取り扱い性が悪い。
【０００７】
特許文献１に記載の電池でも、軸部にバッテリケーブル等を固定する固定用ナットをさらに締め付けていくと、接続用ナットに対して下方に押付ける力が作用する一方、端子に対して上方に引き上げる力が作用する。そのため、この締付トルクを大きくしていくと、端子の雄ネジ部にて塑性変形が起こり、前記締付トルクをさらに大きくしていくと、前記軸部自体が破壊されてしまい、この破壊された軸部を交換するときには、電池自体を分解しなければならず、取り扱い性が悪い。
【０００８】
そこで、本発明は、前述した問題に鑑み提案されたもので、端子へ導電線を固定させる力を増大させ、且つ取り扱い性を向上させた端子構造を提供することを目的とする。
【課題を解決するための手段】
【０００９】
上述した課題を解決する第１の発明に係る端子構造は、電気機器本体から導出される端子に貫通して配置される絶縁体をナットにより固定させる端子構造であって、前記端子に形成されたネジ穴にボルトを螺合させることで、該端子に導電線を接続するようにしたことを特徴とする。
前記電気機器本体としては、大電流が流れる、オルタネータ、スタータ、バッテリ、リレー、リターダおよびキャパシタ等が挙げられる。
【００１０】
上述した課題を解決する第２の発明に係る端子構造は、第１の発明に記載された端子構造であって、前記端子の上部を前記ナットの上部より高くすることを特徴とする。
【発明の効果】
【００１１】
第１の発明に係る端子構造によれば、ボルトにより導電線を端子に固定するようにしたことにより、前記ボルトの軸部に形成されたネジ山が塑性変形するまで、前記ボルトの締付トルクを向上させることができる。その結果、前記ボルトが緩んだり、外れたりすることを防止する効果を向上させることができる。また、前記ボルトのネジ山が塑性変形する程度の締付トルクにて前記ボルトを締め付けることで、前記ボルトの軸力を一定に制御することが可能となる。また、さらに前記ボルトを締め付けて該ボルトが破壊されても、このボルトを容易に端子から取り外すことができるので、取り扱い性が向上する。
前記端子への導電線の固定を前記ボルトにより行う構造としたことで、電気機器本体から突出する端子、および前記ボルトの頭部を小さくすることができる。その結果、電気機器本体が車両のエンジンルームなど限られた空間に配置される場合には、その空間を拡大させることができ、前記空間をさらに有効に利用することができる。
【００１２】
第２の発明に係る端子構造によれば、導電線をボルトにより端子に固定したときに、前記導電線とナットとの接触が防止される。その結果、ボルトと前記ナットとの共回り（つれ回り）が防止される。
【発明を実施するための最良の形態】
【００１３】
以下に、本発明に係る端子構造を実施するための最良の形態を実施例に基づき具体的に説明する。
【実施例１】
【００１４】
以下に、本発明の第１の実施例に係る端子構造につき、図面を用いて説明する。
図１は、本発明の第１の実施例に係る端子構造の説明図である。
【００１５】
本発明の第１の実施例に係る端子構造１０は、電気機器本体であるオルタネータ本体１１から導出された端子１４と、端子１４に貫通して配置された絶縁体１２と、絶縁体１２をオルタネータ本体１１に固定するナット１３とを有する。導電線であるバッテリケーブル１６の円環状のエンドターミナル１６ａは、ボルト１５の軸部１５ａに貫通して配置される。ボルト１５の軸部１５ａに形成されたネジ山を端子１４に形成されたネジ穴１４ａに螺合させることで、端子１４に導電線１６が接続される。なお、この端子１４の下端に導電部材１７が接続される。
【００１６】
絶縁体１２をナット１３により固定したときに、端子１４の上部１４ｂがナット１３の上部１３ａよりも高くなるように、ナット１３および端子１４が形成される。このようにナット１３の上部１３ａと端子１４の上部１４ｂとの高さが異なるようにすることで、バッテリケーブル１６をボルト１５により端子１４に固定したときに、バッテリケーブル１６のターミナルエンド１６ａとナット１３との接触が回避される。その結果、ボルト１５とナット１３との共回り（つれ回り）が防止される。
【００１７】
この端子構造１０では、導電部材１７より端子１４およびボルト１５を伝わって、バッテリケーブル１６から電流が取り出される。なお、端子構造１０では、絶縁体１２により、オルタネータ本体１１と端子１４との接触が防止される。
【００１８】
したがって、本発明の第１の実施例に係る端子構造１０によれば、ボルト１５によりバッテリケーブル１６のエンドターミナル１６ａを端子１４に固定するようにしたことにより、ボルト１５の軸部１５ａに形成されたネジ山が塑性変形するまで、ボルト１５の締付トルクを向上させることができる。その結果、ボルト１５が緩んだり、外れたりすることを防止する効果を向上させることができる。
【００１９】
また、ボルト１５のネジ山が塑性変形する程度の締付トルクにてボルト１５を締め付けることで、ボルト１５の軸力を一定に制御することが可能となる。また、さらにボルト１５を締め付けてボルト１５が破壊されても、このボルトを容易に端子１４から取り外すことができるので、取り扱い性が向上する。
【００２０】
端子１４へのバッテリケーブル１６の固定をボルト１５により行う構造としたことで、オルタネータ本体１１から突出する端子１４、およびボルト１５の頭部１５ｂを小さくすることができる。その結果、オルタネータ本体１１が車両のエンジンルームなど限られた空間に配置される場合には、その空間を拡大させることができ、前記空間をさらに有効に利用することができる。
【００２１】
上記では、オルタネータ本体１１に適用した端子構造１０を用いて説明したが、オルタネータ本体１１の代わりに、大電流が流れる、スタータ本体、バッテリ本体、リレー本体、リターダ本体、キャパシタ本体等の電気機器本体に適用しても良く、オルタネータ本体１１に適用した端子構造１０と同様な作用効果を奏する。
【産業上の利用可能性】
【００２２】
本発明は、端子構造に利用することが可能であり、特に、大電流が流れる、オルタネータ、スタータ、バッテリ、リレー、リターダおよびキャパシタに用いて好適な端子構造に利用することが可能である。
【図面の簡単な説明】
【００２３】
【図１】本発明の第１の実施例に係る端子構造の説明図である。
【図２】従来の端子構造の説明図である。
【符号の説明】
【００２４】
１０          端子構造
１１          オルタネータ本体
１２          絶縁体
１３          ナット
１４          端子
１５          ボルト
１６          バッテリケーブル
１７          導電部材
２０          端子構造
２１          オルタネータ本体
２２          絶縁体
２３          ナット
２４          端子
２５          固定用ナット
２６          バッテリケーブル
２７          導電部材
【図１】
2007128801.tif 000003
【図２】
2007128801.tif 000004